(57)【要約】【課題】従来の成分測定装置では、先端カバー部材に隙間や窪みが多く設けられており、先端カバー部材等に付着した汚れを除去し難く、その汚れが装置内部に入り込む場合があった。【解決手段】血液中の成分を測定する血糖計１である。人が把持可能な胴部１１を有し且つ胴部の一端に開口部２９を設けた筐体２と、開口部に設けられると共に検体を収容する採取具（チップ）５０が着脱可能に装着される採取具装着部４３と、筐体に摺動可能に取り付けられると共に摺動により採取具装着部に装着されている採取具を押出して採取具装着部から離脱させるイジェクト部材３５とを設ける。採取具５０は、採取具装着部４３に挿入される円筒部５３を有し、イジェクト部材は、円筒部の端面に線接触される一対の枠体部６１、６１を有する。【選択図】図１
2010233845.tif 000002
【特許請求の範囲】
【請求項１】
体液中の成分を測定する成分測定装置であって、
人が把持可能な胴部を有し且つ前記胴部の一端に開口部を設けた筐体と、
前記開口部に設けられると共に前記体液を収容する採取具が着脱可能に装着される採取具装着部と、
前記筐体に摺動可能に取り付けられると共に、摺動により前記採取具装着部に装着されている前記採取具を押出して当該採取具装着部から離脱させるイジェクト部材と、
を設け、
前記採取具は、前記採取具装着部に挿入される筒状部を有し、
前記イジェクト部材は、前記筒状部の端面に面接触又は線接触される枠体部を有する
ことを特徴とする成分測定装置。
【請求項２】
前記採取具装着部は、前記採取具を保持する採取具保持部と前記採取具の位置決めをする採取具位置決め部とを有し、
前記イジェクト部材の前記枠体部は、前記採取具保持部の内側に配置し、前記採取具保持部と前記採取具位置決め部との間を摺動する
ことを特徴とする請求項１記載の成分測定装置。
【請求項３】
前記採取具の前記筒状部は、円筒状に配置された複数の弾性片からなる
ことを特徴とする請求項１記載の成分測定装置。
【請求項４】
前記開口部は、前記筐体の一側に設けた湾曲部の先端に開口され、
前記イジェクト部材の操作部を、前記湾曲部の中間部の凸側に配置した
ことを特徴とする請求項１記載の成分測定装置。
【請求項５】
前記筐体内に収容される内側筐体を設け、
前記内側筐体と前記筐体との接触部の間を第１の封止部材によって液密に封止した
ことを特徴とする請求項１記載の成分測定装置。
【請求項６】
前記内側筐体には、携帯用の電源が収容される電池収納部を設け、
前記電池収納部の周囲を第２の封止部材によって液密に封止した
ことを特徴とする請求項５記載の成分測定装置。
【発明の詳細な説明】
【技術分野】
【０００１】
本発明は、例えば、血液中の血糖値のような体液中の所定成分の量や性質等を測定する成分測定装置に関し、特に、体液を採取して成分測定した後の採取具を離脱させるのに好適な採取具排出機構に関する。
【背景技術】
【０００２】
体液中の所定成分を検出し、その所定成分の量や性質等を測定するために、種々の体液成分測定装置が用いられている。例えば、血液中のブドウ糖濃度を測定する血糖計が使用されている。しかし、血糖測定の課題として、血糖計に血液が付着した場合の交差感染の問題がある。これを解決するために、血糖値を測定した後の使用済み採取具（チップ）を、その採取具に手を触れることなく廃棄できる採取具廃棄機構の設置が望まれている。更に、同様の目的から、装置本体に付着した血液等の汚れを容易に清掃できる形状や構造であることも要望されている。
【０００３】
このような問題を解決するものとして、例えば、特許文献１に記載されているような装置がある。この特許文献１に係る成分測定装置は、ケースと採取具装着部と検出部と制御部と表示部と電池設置部と第１及び第２の密閉手段とを有している。ケース本体と蓋体と検出部とで画成され、制御部と表示部と電池設置部を収納する収納空間が、第１及び第２の密閉手段によって密閉性が保持されている、ことを特徴としている。
【０００４】
この特許文献１に係る成分測定装置（以下「第１の従来例」という。）によれば、洗浄、消毒等が可能であり、安全に繰り返して使用可能である、という効果が期待される。
【０００５】
また、特許文献２には、体液等の試料を収集して測定する測定装置に関するものが記載されている。この特許文献２に係る測定装置は、一端に電極端子が形成されたセンサにより収集された分析試料を、電気化学的に分析するもので、センサ保持部と接続端子と排出機構とブレーキ手段とを備えることを特徴としている。
【０００６】
この特許文献２に係る測定装置（以下「第２の従来例」という。）によれば、センサ排出時に、測定装置よりセンサが飛び出す量を制御しながら、センサを安定した速度で排出するようにした。そのため、必要以上の速度でセンサが排出されるのを防止することができ、患者やその他の操作者が直接的に体液等の試料を点着したセンサに触れることなく、センサを安全に廃棄することができる、という効果が期待される。
【先行技術文献】
【特許文献】
【０００７】
【特許文献１】国際公開２００８／０８７８７６Ａ１号公報
【特許文献２】国際公開２００８／０１６１３７Ａ１号公報
【発明の概要】
【発明が解決しようとする課題】
【０００８】
しかしながら、前述した第１の従来例の場合には、ケース本体の先端下部にイジェクト部材が進退動作可能に保持され、これらが先端カバー部材によって覆われている。ケース本体の先端にはホルダが固定されており、そのホルダの先端に設けたチップ装着部が、先端カバー部材の先端開口部から突出されて外部に露出されている。このチップ装着部にチップが着脱可能に装着される一方、装着されたチップを離脱させるために、３本のピンがイジェクト部材に設けられている。３本のピンは、その先端が先端開口部に臨むように形成されており、これらピンとの接触を回避するため先端開口部の周縁にはピン用の開口部が設けられている。
【０００９】
かくして、イジェクト部材を手動操作で移動させ、これに設けた３本のピンでチップの円筒部分の基端面を押圧することにより、チップが押し出されてチップ装着部から離脱される構成となっていた。このように、３本のピンが、チップの円筒部分と対応する部分に配置されていて、そのピンとの干渉を避けるために先端カバー部材の先端開口部の周縁に開口部を設ける必要があった。また、ピンの先端は、外部に露出するようになっている。このように、先端カバー部材に隙間や窪みが多く設けられ、ピンの先端が外部に露呈されるので、その結果、先端カバー部材等に付着した汚れが隙間や窪みに入り込んで除去し難く、その汚れが装置内部に入り込む場合があるという問題があった。
【００１０】
また、前述した第２の従来例の場合には、コネクタに着脱可能に装着されるセンサが薄い平板状の部材からなり、そのセンサの後端を、排出レバーの操作により押出し部材を移動させて排出させる構成となっていた。従って、排出される対象物が本願発明の円筒状部材からなるチップと異なるために、その排出機構を本願発明の採取具排出機構として使用することができなかった。
【００１１】
解決しようとする問題点は、前述したような従来の成分測定装置においては、先端カバー部材に隙間や窪みが多く設けられており、先端カバー部材等に付着した汚れが入り込んで除去し難く、その汚れが装置内部に入り込む場合があるという点である。また、使用される採取具（チップ）の形状に見合った小型で構造の簡単な採取具排出機構が無いという点である。
【課題を解決するための手段】
【００１２】
本発明は、体液中の成分を測定する成分測定装置である。人が把持可能な胴部を有し且つ胴部の一端に開口部を設けた筐体と、開口部に設けられると共に体液を収容する採取具が着脱可能に装着される採取具装着部と、筐体に摺動可能に取り付けられると共に摺動により採取具装着部に装着されている採取具を押出して採取具装着部から離脱させるイジェクト部材とを設ける。採取具は、採取具装着部に挿入される筒状部を有し、イジェクト部材は、筒状部の端面に面接触又は線接触される枠体部を有することを最も主要な特徴としている。
【００１３】
本発明は、イジェクト部材の枠体部は、採取具を保持する採取具保持部の内側に配置され、採取具保持部と採取具位置決め部との間を摺動することを特徴としている。
また、本発明は、採取具の筒状部は、円筒状に配置された複数の弾性片からなることを特徴としている。
そして、本発明は、開口部は、筐体の一側に設けた湾曲部の先端側に開口され、イジェクト部材の操作部を湾曲部の中間部の凸側に配置したことを特徴としている。
【００１４】
本発明は、筐体内に収容される内側筐体を設け、その内側筐体と筐体との接触部の間を第１の封止部材によって液密に封止したことを特徴としている。
更に、本発明は、内側筐体には、携帯用の電源が収容される電池収納部を設け、電池収納部の周囲を第２の封止部材によって液密に封止したことを特徴としている。
【発明の効果】
【００１５】
本発明によれば、筐体の採取具装着部の隙間や窪みを最小限にすることができ、筐体に付着した汚れを除去し易く、その汚れが装置内部に入り込むのを防ぎ、若しくは効果的に抑制することができる。また、使用される採取具（チップ）の形状に見合った小型で構造の簡単な採取具排出機構を構成することができる。
【図面の簡単な説明】
【００１６】
【図１】本発明の成分測定装置の第１の実施の形態の例を示す分解斜視図である。
【図２】図１に示す成分測定装置の組立斜視図である。
【図３】図１に示す成分測定装置の平面図である。
【図４】図１に示す成分測定装置の右側面図である。
【図５】図１に示す成分測定装置の正面図である。
【図６】本発明の成分測定装置に採取具（チップ）を装着した状態の、図５に示すＹ−Ｙ線断面図である。
【図７】本発明の成分測定装置に採取具（チップ）を装着した状態の、図４に示すＸ−Ｘ線拡大断面図である。
【図８】本発明の成分測定装置から採取具（チップ）を離脱した状態の、図５に示すＹ−Ｙ線断面図である。
【図９】本発明の成分測定装置から採取具（チップ）を離脱した状態の、図４に示すＸ−Ｘ線拡大断面図である。
【図１０】本発明の成分測定装置の採取具装着部を断面して拡大した採取具（チップ）の離脱動作の説明図である。
【図１１】図１に示す成分測定装置の採取具装着部及びその近傍の構成部品を分解した斜視図である。
【図１２】本発明の成分測定装置に係るイジェクト部材の第１の実施の例を示すもので、図１２Ａは斜視図、図１２Ｂは左側面図、図１２Ｃは正面図、図１２Ｄは底面図である。
【図１３】本発明の成分測定装置に係る採取具（チップ）の第１の実施の例を示すもので、図１３Ａは斜視図、図１３Ｂは背面図、図１３Ｃは側面図、図１３Ｄは図１３ＣのＺ−Ｚ線断面図である。
【図１４】本発明の成分測定装置の第２の実施の形態の例を示す分解斜視図である。
【図１５】図１４に示す成分測定装置の筐体を断面して封止部材による封止状態を現した説明図である。
【発明を実施するための形態】
【００１７】
以下、本発明の成分測定装置を実施する形態の例について、図面を参照して説明する。図１〜図１３は、本発明の成分測定装置の第１の実施例に係る血糖計１を示す図である。また、図１４及び図１５は、本発明の成分測定装置の第２の実施例に係る血糖計１００を示す図である。本発明は、この実施例１及び２に示した血糖計１，１００に限定されるものではない。
【実施例１】
【００１８】
図１〜図５に示す血糖計１は、医師や看護士或いは糖尿病患者等が、携帯電話のように手に持って操作するもので、その主な機能は、血液中の血糖値を測定し、その血糖値の測定データを管理することができる装置である。この血糖計１は、中空の容器からなる筐体２と、その筐体２に内蔵された電源部３と、血糖値等を測定する測定部４と、入力事項や確認事項、測定結果等を表示する表示部５と、測定部４や表示部５の動作や表示等を制御する制御部６等を備えて構成されている。
【００１９】
図２〜図５に示すように、筐体２は、人が片手で持って操作部の操作ボタンを容易に押圧操作できるように少し細長であって、人に持ち易い胴部１１を有する立体形状とされている。この筐体２は、上下に重ね合わされる上ケース７と下ケース８を有しており、上下に重ね合わされた状態で複数個の固定ねじ１３（図１を参照）によって組立・分解可能に構成されている。図６及び図８に示すように、筐体２の胴部１１の中空室１２内には表示部５と制御部６等が配置され、その中空室１２の長手方向の一側である先端側に測定部４が配置されている。そして、上ケース７には表示部５が取り付けられ、下ケース８には電源部３が設けられている。
【００２０】
下ケース８には、下面側に開口する電池収納部１４が設けられており、その電池収納部１４には、例えば、携帯用電源としてのボタン型電池１９が着脱可能に収納されている。この電池収納部１４は、下ケース８に対して着脱可能に構成された電池蓋２０によって開閉可能に覆われている。このボタン型電池１９の電力により、測定部４や制御部６の動作、或いは表示部５の表示等が制御されるようになっている。この電源部３に用いられる電池としては、形態の面から分類した場合における、ボタン型電池に限られるものではなく、丸型乾電池や角型乾電池その他の形態のものを使用できるものである。また、電池の材料の面から分類した場合の、リチウムイオン電池は勿論のこと、アルカリ電池やマンガン電池その他の材料のものを使用できることは勿論である。
【００２１】
図１に示すように、上ケース７の略中央部に、その表裏面を貫通する略長方形をなす開口窓１５が設けられている。開口窓１５には、これに見合う形状を有する液晶カバー１６が嵌合されている。液晶カバー１６の上面は、これよりも適宜に大きく形成された正面パネル１７によって全面が覆われている。正面パネル１７は、上ケース７の上面に配置された２つのスイッチこま１８をも覆うことができる大きさとなっている。スイッチこま１８は、正面パネル１７の入力部１７ａと入力スイッチ２１との間を動力伝達可能に連結する部材である。２つのスイッチこま１８は、上ケース７の上面に設けた挿通穴２２にそれぞれ挿入されていて、これらのスイッチこま１８を介して２つの入力スイッチ２１のオン・オフ操作が可能とされている。
【００２２】
これら上ケース７と下ケース８の間に、表示部５の液晶パネル２３と、制御部６のメイン配線基板２４が配置されている。メイン配線基板２４には、所定形状に形成された電気回路が印刷配線等によって設けられている。そして、メイン配線基板２４には、予め設定された所定の機能を実行するためのマイクロコンピュータ、予め所定のプログラムが記憶されたＲＯＭやＲＡＭ等の記憶装置、コンデンサや抵抗その他の電子部品が実装されている。このメイン配線基板２４の上面に、２つのスペーサ２５を介して液晶パネル２３が取り付けられている。
【００２３】
メイン配線基板２４は、図６及び図８に示すように、上ケース７に設けた４つの支持柱７ａに対して複数箇所で固定ねじ４４によりねじ止めされて固定されている。このメイン配線基板２４に搭載された状態で液晶パネル２３が、上ケース７に固定されている液晶カバー１６の下面に対向されている。更に、メイン配線基板２４の上ケース７側の面には、タクトスイッチからなる前記２つの入力スイッチ２１が実装されており、各入力スイッチ２１の入力部に、上ケース７に保持されているスイッチこま１８の下端部が臨まれている。この入力スイッチ２１の基端側に、更に、図示しない入力スイッチ類（時刻設定や食後マーク用）が配置されている。この図示しない入力スイッチが外部に臨むように、下ケース８の背面には切欠き部２７が設けられている。切欠き部２７は、図示しないカバー部材によって閉じられている。
【００２４】
筐体２の長手方向の一側は、下ケース８側に少し湾曲した先細の湾曲部２８として形成されており、その先端に開口部２９が設けられている。湾曲部２８は、上ケース７に設けた内向きのコ字状部分からなる上湾曲部２８ａと、下ケース８に設けた外向きのコ字状部分からなる下湾曲部２８ｂとの組み合わせからなり、上湾曲部２８ａと下湾曲部２８ｂを重ね合わせることにより、全体として下ケース８側に湾曲された湾曲部２８が形成されている。従って、湾曲部２８の先端に設定された開口部２９は、筐体２の中心を通る部分よりも下ケース８側に若干傾いた位置において斜め下方へ向けて開口されている。
【００２５】
この筐体２の開口部２９に測定部４が配設されている。筐体２の開口部２９には、リング筐体３１が固定されている。リング筐体３１は、筐体２に固定するための固定部３１ａと、この固定部３１ａに連続して一体に形成された筒軸部３１ｂとを有している。固定部３１ａは、開口部２９を閉じるように内側に展開された端面部３１ｃを有しており、その端面部３１ｃの略中央部に、直径を少し小さくした円筒状の筒軸部３１ｂが外側へ突出するように形成されている。固定部３１ａには、リング筐体３１を筐体２に固定するための複数の係合爪（本実施例では上下の２箇所）４５が設けられている。これに対応して、筐体２の開口部２９の上下２箇所には、爪受部２９ａが設けられている。
【００２６】
この筐体２の開口部２９内に、検体の一具体例を示す血液の成分を測定する測定部４が配設されている。図６〜図１１に示すように、測定部４は、測光ブロック３３と、イジェクト部材３５と、イジェクト操作子３６と、内リング３７等を備えて構成されている。測光ブロック３３は、採血した血液から血糖値を光学的に測定する装置である。この測光ブロック３３は、血液検体の呈色濃度と赤血球の赤色濃度とを測定し、呈色濃度から得られるグルコース値を赤色濃度から得られるヘマトクリット値を用いて補正しつつグルコース濃度を定量して、血糖値を測定することができるものである。この測光ブロック３３が、筐体２に支持固定されている。
【００２７】
図１０及び図１１に示すように、測光ブロック３３は、平板状のベース部３３ａと、このベース部３３ａの前側に２段構造で形成された円形の軸部３３ｂ、３３ｃとを有している。ベース部３３ａに連続して直径の大きな第１の軸部３３ｂが設けられ、この第１の軸部３３ｂに連続して直径の小さな第２の軸部３３ｃが設けられている。この測光ブロック３３の第２の軸部３３ｃには、二種類の波長の光を一つの試験紙に照射するための照射口３８が開口されている。この測光ブロック３３は、リング筐体３１の内側に挿入され、その筒軸部３１ｂの内側に２つの軸部３３ｂ、３３ｃが同心上に配置されている。
【００２８】
また、筒軸部３１ｂの内側には内リング３７が配置されていて、その内リング３７の背面側に第２の軸部３３ｃが対向設置されている。内リング３７は、貫通穴４１が中央に設けられた円筒部３７ａと、この円筒部３７ａの一方の端面側に連続して半径方向外側へ展開するように設けられたフランジ部３７ｂとを有している。フランジ部３７ｂは、リング筐体３１の筒軸部３１ｂの内側に嵌合されていて、このフランジ部３７ｂを介して内リング３７がリング筐体３１に固定されている。
【００２９】
このとき、円筒部３７ａは、リング筐体３１の筒軸部３１ｂの内側において同一軸心線上に配置されている。その結果、リング筐体３１の固定部３１ａと内リング３７の円筒部３７ａとの間には、リング状をなす空間部が形成されている。このリング状をなす空間部を、後述するイジェクト部材３５の枠体部６１が長手方向に摺動する。そして、リング筐体３１と内リング３７とにより、採取具（チップ）５０を着脱可能に支持することができる採取具装着部４３が構成されている。ここで、リング筐体３１の筒軸部３１ｂは、採取具５０を嵌合固定する採取具保持部として機能し、内リング３７は、採取具５０が当接することによって、試験紙５７と測定ブロック３３との距離を一定にするための採取具位置決め部を構成している。
【００３０】
採取具５０は、図１３Ａ〜図１３Ｄに示すような構成を有している。即ち、採取具５０は、円板状に形成されたベース部５１と、このベース部５１の一方の面に形成されたノズル部５２と、ベース部５１の他方の面に形成された円筒部５３とからなっている。ベース部５１の外径は、筒軸部３１ｂの外径と略同じ寸法に形成されている。また、ノズル部５２は、ベース部５１の中央に立設されており、その中心部には軸方向へ貫通する採取孔５４が設けられている。ノズル部５２の先端部は先細に形成されていて、その先端面には検体を吸引し易くするための凹溝５２ａが設けられている。
【００３１】
採取具５０の円筒部５３は、採取具装着部４３の空間部に見合う大きさに形成されていて、その外径は、筒軸部３１ｂの穴に嵌まり合うことができる大きさであり、その内径は、円筒部３７ａを覆う大きさである。更に、円筒部５３の先端部には、弾性片からなる複数の係合爪（本実施例では４個）５５が設けられ、筒軸部３１ｂの内周面には突条３２が設けられている。この係合爪５５を、筒軸部３１ｂの内周面に接触させ、押し込んで係合爪５５が突条３２を乗り越えることにより、筒軸部３１ｂ（採取具保持部）による採取具５０の保持力を高めて外れ難くすることができる。本実施例の係合爪５５は、周方向に連続する円弧状の凸部として形成されており、その外周面には、摩擦抵抗を高めるための山形凸部５５ａが設けられている。
【００３２】
この採取具５０の円筒部５３の内側には、採取孔５４に連通された試験紙収納部５６が設けられている。この試験紙収納部５６には、血液を採取して所定量の血液を保持する試験紙５７が収納されている。この試験紙に保持された血液に、測光ブロック３３から照射される所定の光を照射することにより、血液中の成分を測定することができる。また、採取具５０の円筒部５３の内面は段差を有しており、この段差に内リング３７の端部が当接することにより、採取具５０の測光ブロック３３への正確な位置決めがなされる。即ち、内リング３７は、採取具位置決め部として機能する。
【００３３】
採取具装着部４３に装着された採取具５０を離脱させるためにイジェクト部材３５が設けられている。イジェクト部材３５は、図１２Ａ〜図１２Ｄに示すような構成を有している。即ち、イジェクト部材３５は、採取具５０に直接接触して押し出す枠体部６１と、この枠体部６１が固定されると共に所定距離だけ摺動動作される摺動プレート６２とからなっている。枠体部６１は、円弧状に湾曲させた２枚の円弧片６１ａ，６１ａを左右方向に対向させることによって構成されている。この枠体部６１は、測光ブロック３３の第１の円形軸部３３ｂに移動可能に装着され、その円形軸部３３ｂの外側を軸方向へ所定距離だけ進退移動される。
【００３４】
イジェクト部材３５の摺動プレート６２は、長手方向の中途部を９０度に折り曲げたような形状をなしており、その折り曲げ部の一側に固定部６２ａが設けられ、その折り曲げ部の他側に連結部６２ｂが設けられている。固定部６２ａは、枠体部６１を構成する一対の円弧板６１ａ，６１ａに対応する大きさを有するＵ字形状の部材として形成されている。そして、固定部６２ａの一面において連結部６２ｂと反対側へ突出するように、一対の円弧板６１ａ，６１ａが立設されている。連結部６２ｂの略中央部には、イジェクト操作子３６と連結するための挿通穴６３が設けられている。
【００３５】
イジェクト操作子３６は、図１０に示すような状態でイジェクト部材３５に固定されている。イジェクト操作子３６は、上ケース７の湾曲部２８における凸側の外部に露出されるように設けられている。そのため、上ケース７には、図１に示すように、イジェクト操作子３６の移動を許容するための長穴６５が設けられている。長穴６５は、筐体２の前後方向へ所定の長さだけ直線的に延在されて設けられており、イジェクト操作子３６の脚部３６ａが摺動可能に係合されている。
【００３６】
図１０に示すように、イジェクト操作子３６の裏面にはねじ穴が設けられており、摺動プレート６２の挿通穴６３に挿通される固定ねじ６６により締め付けられてイジェクト部材３５に固定されている。固定ねじ６６には、リング状のスペーサ６７が装着されていて、このスペーサ６７と摺動プレート６２の間には圧縮コイルばね６８が介在されている。また、イジェクト部材３５は、図１１に示す引張コイルばね６９により引っ張られて、内リング３７から離れる後方へ常に付勢されている。引張コイルばね６９の一端は摺動プレート６２に設けたばね受け穴６３ｂに掛け止められ、その他端は筐体２のばね受け部に掛け止められている。
【００３７】
図１に示す符号７０は採取具ケースである。この採取具ケース７０は、採取具装着部４３に対して採取具５０を装着したり、排出したりする場合に使用されるものである。採取具ケース７０には、採取具５０を収納することができる採取具収納部が設けられている。採取具ケース７０には、予め採取具５０を取り付けておき、その採取具ケース７０を採取具装着部４３に被せることにより、嵌合力の差によって自動的に採取具５０を採取具装着部４３に装着することができる。
【００３８】
即ち、採取具収納部に採取具５０が収納されている採取具ケース７０を採取具装着部４３に被せ、その採取具ケース７０を所定深さまで押し込む。これにより、採取具５０の円筒部５３がリング状に開口された筒軸部３１ｂに差し込まれ、円筒部５３の先端に設けた４つの係合爪５５が、リング筐体３１の筒軸部３１ｂの内面と内リング３７の円筒部３７ａの外面との間に入り込む。この筒軸部３１ｂと円筒部５３との間に発生する保持力により、採取具５０が採取具装着部４３に保持されて固定される。採取具５０の採取具ケース７０への取り付け力（嵌合力）は弱いので、採取具ケース７０を引っ張れば、採取具５０が採取具装着部４３に保持されたまま、採取具ケース７０が採取具５０から分離される。これにより、採取具５０の取付作業が完了し、この状態において、検体である血液中の血糖値等の測定が可能となる。
【００３９】
このような採取具排出機構を有する血糖計１は、例えば、次のようにして使用することができる。血液の採取は、まず、指先を専用の穿刺器具で穿刺し、その穿刺部から皮膚上に少量（例えば、０．３〜１．５μＬ程度）の血液を流出させる。この指先に盛り上がった少量の血液に、血糖計１の先端に装着されている採取具５０のノズル部５２の先端を当接させる。これにより、指先の血液は、凹溝５２ａを経て採取孔５４内に入り込み、毛細管現象により吸引されて内側に流れ、円筒部５３内に収容されている試験紙５７の中央部に到達する。この試験紙５７に到達した血液は、その表面から内部に染み込み、半径方向外側へ向かって放射状に広がって行く。
【００４０】
この血液の展開と同時に、血液中のブドウ糖と試験紙５７に担持されている試薬とが反応を開始し、ブドウ糖の量に応じて呈色する。この呈色した試験紙５７の色を測定（測色）し、呈色の強度（濃淡）を測定することにより、血糖値を求めることができる。
【００４１】
測定終了後、採取具５０を採取具装着部４３から排出する場合には、例えば、胴部１１を握って親指をイジェクト操作子３６の窪みに合わせ、そのイジェクト操作子３６を前側に押圧してイジェクト部材３５を前方にスライドさせるだけでよい。このとき、図６及び図７に示す状態から、イジェクト操作子３６を前方に押圧すると、これと一体のスライド部材３５が同じ距離だけ移動される。その結果、図８及び図９に示すように、イジェクト部材３５の先端に設けた一対の枠体部６１の先端が採取具５０の係合爪５５の端部を前方に押圧し、採取具５０を採取具装着部４３から離脱させる。これにより、所定の廃棄容器に採取具５０を廃棄することができる。
【００４２】
この場合、血糖計１を操作する作業者は、血糖計１を片手で持った状態において、片手操作によって採取具５０を血糖計１から容易に分離させ、廃棄することができる。しかも、筐体２には湾曲部２８が設けられ、その湾曲部２８の凸側にイジェクト操作子３６が配置され、湾曲部２８の先端に採取具装着部４３が配置されているため、イジェクト操作子３６の移動する方向に採取具５０が放出される。そのため、所望の空間部に放出方向の狙いを定めることができると共に、その空間部に採取具５０を簡単且つ確実に放出させることができる。従って、採取具５０に手を触れることなく、その採取具５０の廃棄処理を安全性を保持して簡単且つ迅速に行うことができる。
【００４３】
また、採取具ケース７０を用いて採取具５０の廃棄処理を行うこともできる。この場合には、まず、採取具収納部が空になっている採取具ケース７０を採取具装着部４３に装着された採取具５０に被せる。この状態で、イジェクト操作子３６を押圧し、イジェクト部材３５を前側に摺動させる。これにより、前述したようにして採取具５０が前側に押し出され、採取具ケース７０に収納された状態で採取具装着部４３から離脱される。これにより、作業者が採取具５０に手を触れることなく、その採取具５０の廃棄処理を安全に、しかも簡単且つ迅速に行うことができる。
【実施例２】
【００４４】
図１４及び図１５は、本発明の成分測定装置に係る血糖計の第２の実施の例を示すものである。この血糖計１００は、前記実施例で説明した血糖計１に中ケース９を設け、その中ケース９のシール性を向上させる構成としたものである。この第２の実施例が前記第１の実施例と異なるところは、主に、内ケース９及びバーコードユニット１１０を設けた点である。そこで、ここでは中ケース９とバーコードユニット１１０をメインに説明し、その他の同一部分には同一の符号を付して、重複した説明を省略する。
【００４５】
図１４に示す血糖計１００は、医師や看護士等が、携帯電話のように手に持って操作するもので、その主な機能は、血液中の血糖値を測定したり、その血糖値の測定に関連する患者の氏名、投与する薬剤の確認や測定データの管理等を行うことができる装置である。この血糖計１００は、中空の容器からなる筐体２Ａと、その筐体２Ａに内蔵された電源部３Ａと、血糖値等を測定する測定部４と、入力事項や確認事項、測定結果等を表示する表示部５と、測定部４や表示部５の動作や表示等を制御する制御部６等を備えて構成されている。
【００４６】
図１４に示すように、筐体２Ａは、上ケース７Ａと下ケース８Ａと中ケース９とからなり、下ケース８Ａの凹部内に中ケース９が収容され、この中ケース９を覆い隠すように上ケース７Ａが下ケース８Ａの上に重ね合わされる構造となっている。上ケース７Ａには多数の挿通穴（この実施例では６個）２２が設けられており、各挿通穴２２には、６個の入力スイッチ１０１がそれぞれ嵌合されている。６個の入力スイッチ１０１は、スイッチ用配線基板１０２に実装されている。
【００４７】
スイッチ用配線基板１０２の下方にはバーコードユニット１１０が配設されている。このバーコードユニット１１０は、患者や看護士等の識別タグのバーコードをスキャンして、患者や使用者の情報を読み込む装置である。このバーコードユニット１１０が、筐体の背面に設けた切欠き部２７に受発光部を臨ませた状態で、筐体２に取り付けられている。なお、上ケース７Ａの開口窓１５には、液晶カバー１６と液晶パネル２３とが装着されている。
【００４８】
また、下ケース８Ａには、電源部を構成する角型の二次電池１０３が載置される電池載置部１０４が設けられている。電池載置部１０４は、使用される電池の形状に対応させて、長方形の受け台として形成されている。下ケース８Ａのその他の構成は、前記下ケース８と略同様である。この下ケース８Ａの凹部内に、その凹部形状に見合った形状を底面に有する内側筐体の一具体例を示す中ケース９が収容されている。
【００４９】
図１５に示すように、中ケース９は、下ケース８Ａの電池載置部１０４と対応した形状を有し且つ底面に開口された電池収納部１０５を有している。この電池収納部１０５には、電池載置部１０４に載置された二次電池１０３が収納されるようになっている。即ち、電池載置部１０４は、電池収納部１０５の開口部を閉じる蓋体のような役割りを果たしており、その開口部の液密性を高めるために中ケース９と下ケース８Ａの間には第２の封止部材１０６が介在されている。中ケース９の後面には、下ケース８Ａの切欠き部２７に対応して切欠き部１１３が設けられている。
【００５０】
第２の封止部材１０６としては、例えば、Ｏ−リングを適用することができ、そのＯ−リングで電池載置部１０３の周囲を無端状に囲うようにする。この第２の封止部材１０６に対して中ケース９の電池収納部１０５の周縁を全面に亘って当接させ、Ｏ−リングを圧縮させたときのシール性を利用して電池収納部１０５を液密に構成している。
【００５１】
また、図１４に示すように、中ケース９の外周縁の上面には、上ケース７Ａとの間の液密性を高めるための第１の封止部材１０７が装着されている。第１の封止部材１０７としては、例えば、Ｏ−リングを適用することができる。
【００５２】
図１５に示すように、第１の封止部材１０７を装着可能とするため、中ケース９の外周縁の上面には、周方向に連続する丸溝状の下嵌合溝１０８が設けられている。同様に、上ケース７Ａの内面には、下嵌合溝１０８に対応する位置に配置され且つ周方向に連続する丸溝状の上嵌合溝１０９が設けられている。これにより、上ケース７Ａと中ケース９の間のシール性を十分に高めることができる。このように、中ケース９、第１の封止部材１０７、第２の封止部材１０６を設けることによって、電源部３、表示部５、制御部６等の防水性を向上させることができる。
【００５３】
第１の封止部材１０７及び第２の封止部材１０６の材質としては、例えば、ニトリルゴム、シリコンゴム、アクリルゴムその他各種のシール用材料を用いることができる。なお、中ケース９の上面には、液晶パネル２３やバーコードユニット１１０等を収容するための空間部１１１が設けられている。また、測光ブロック３３の周囲には、筒状に構成された測光ケース３４を有し、測光ブロック３３を覆うことで防水性を高めている。
【００５４】
図１４に示す符号１１２はスキャンボタンである。このスキャンボタン１１２は、バーコードユニット１１０を用いてバーコード情報をスキャニングするためのオン・オフスイッチである。なお、二次電池１０３としては、例えば、リチウムイオン電池等を用いることができる。
【００５５】
前述した上ケース７，７Ａ、下ケース８，８Ａ、中ケース９、リング筐体３１の材質としては、例えば、ＡＢＳ樹脂（アクリロニトリル・ブタジエン・スチレン樹脂）を用いることができる。しかしながら、ある程度の強度及び耐久性を有する各種のエンジニアリングプラスチックを用いることができることは勿論である。
【００５６】
本発明によれば、採取具を採取具装着部から排出する場合に、その採取具の後端部を湾曲した一対の枠体部で押圧する構成としたため、その押圧部の強度を高めつつ構造を簡単なものとすることができる。即ち、１個の部材として構成することができる。しかも、一対の枠体部は、採取具保持部の内側に隠れた状態で配置されているため、採取具を採取具装着部から脱着させるための押し出し部材やその貫通孔が外部に露呈されていないので、血液等の検体が装置内部に入り込むのを防止又は抑制することができる。更に、筐体等に付着した検体を容易に払拭することができ、装置の清掃が容易であって、装置の安全性を向上させ、故障の発生を抑制することができ、安全に繰り返し使用が可能である。また、封止部材の形状を工夫することにより、筐体間のシール性を高め、検体が測定部以外の部分に入り込むのを効果的に防止することができる。
【００５７】
以上説明したが、本発明の成分測定装置は、前述した実施の形態に限定されるものではなく、構成や形状、材料等において、本発明の構成を逸脱しない範囲において種々の変形、変更が可能であることはいうまでもない。
【００５８】
なお、前記実施例では、体液として血液を挙げて説明したが、これに限定されるものではなく、例えば、リンパ液、髄液、唾液等であってもよい。更に、体液（血液）中の測定目的とする成分として、ブドウ糖（血糖値）を挙げて説明したが、これに限定されるものではなく、例えば、コレステロール、尿酸、クレアチニン、乳酸、ヘモグロビン（潜血）、各種アルコール類、各種糖類、各種タンパク質、各種ビタミン類、ナトリウム等の各種無機イオン、ＰＣＢやダイオキシン等の環境ホルモンであってもよい。更にまた、前記実施例では、所定成分の量を測定するものとして説明したが、所定成分の性質を測定するものであってもよく、また、所定成分の量及び性質の双方を測定するものであってもよい。
【００５９】
また、前記実施例においては、イジェクト部材の枠体部を、互いに対向設置された２つの円弧状をなす部材で構成した例について説明したが、３つ以上の部材の組合せとして構成することができ、また、円弧形状に変えて、コ字形状或いはＬ字形状の部材として構成することもできる。
【符号の説明】
【００６０】
１，１００・・血糖計（成分測定装置）、  ２・・筐体、  ３，３Ａ・・電源部、  ４・・測定部、  ７，７Ａ・・上ケース、  ８，８Ａ・・下ケース、  ９・・中ケース（内側筐体）、  １１・・胴部、  １２・・中空室、  １４，１０５・・電池収納部、  １９・・ボタン型電池（電源）、  ２８・・湾曲部、  ２９・・開口部、  ３１・・リング筐体、  ３１ｂ・・筒軸部、  ３５・・イジェクト部材、  ３６・・イジェクト操作子、  ３７・・内リング、  ３７ａ・・円筒部、  ４３・・採取具装着部、  ４５，５５・・係合爪、  ５０・・採取具（チップ）、  ５２・・ノズル部、  ５３・・円筒部（筒状部）、  ５４・・採取孔、  ５６・・試験紙収納部、  ５７・・試験紙、  ６１・・枠体部、  ６２・・摺動プレート、  ７０・・採取具ケース、  １０３・・二次電池（電源）、  １０６・・第２の封止部材、  １０７・・第１の封止部材、  １０８・・上嵌合溝、  １０９・・中嵌合溝
【図１】
2010233845.tif 000003
【図２】
2010233845.tif 000004
【図３】
2010233845.tif 000005
【図４】
2010233845.tif 000006
【図５】
2010233845.tif 000007
【図６】
2010233845.tif 000008
【図７】
2010233845.tif 000009
【図８】
2010233845.tif 000010
【図９】
2010233845.tif 000011
【図１０】
2010233845.tif 000012
【図１１】
2010233845.tif 000013
【図１２】
2010233845.tif 000014
【図１３】
2010233845.tif 000015
【図１４】
2010233845.tif 000016
【図１５】
2010233845.tif 000017